(57)【要約】      （修正有）【課題】福利厚生褒賞抽選システム加盟の企業、商店、団体等で勤務する契約社員、パート、アルバイト、他の労働者で、一定の勤務時間、勤務日数の労働をした労働者に、労働意欲を高める為の褒賞を与える。【解決手段】参加したい労働者は、名前、住所、連絡先等で会員登録を行う。また加盟する企業、店舗、団体は所定の条件を満たし、加盟手続きを行なう。労働者は各事業所の給与、報酬、アルバイト料の明細票の給与額情報を各自の端末機の褒賞抽選入力画面に入力し、各事業所の抽選画面に従い抽選を行い、当選者へ賞品を渡す。【選択図】図１
2016009476.tif 000002
【特許請求の範囲】
【請求項１】
インターネットなどの通信網を介して、各労働者が各種の端末機器を用いて接続、又は保存され、各労働者の登録や勤務事業所や勤務活動などのデータベースと褒賞抽選での当選者の賞品などのデータベースを備えたシステムサーバです。
【請求項２】
インターネット労働者福利厚生褒賞抽選システム加盟の企業、商店、団体等に勤務する契約社員、パート、アルバイト他が、一定の勤務時間、勤務日数の労働をした者へ各事業所は給与、報酬、アルバイト料を支払います。又、労働意欲を高める褒賞方法として、インターネットでの賞品提供抽選システムで当選を決めます。労働者の参加方法は、給与明細票の給与等の情報を各自の端末機の褒賞抽選入力画面に入力します。入力方法は、ボタンタッチやスキャナーでの読み込みやカメラでの読み込みや音声での入力など、その他の方法で入力する。入力完了後に完了ボタンを押すと、褒賞当選抽選画面に入ります。当選抽選画面は、各企業の希望で数種類の抽選画面が用意されていますので、労働者は操作方法に従い抽選を行い当選又はハズレを決定します。
【請求項３】
抽選の結果、当選者は当選者送信ボタンを押すと、褒賞抽選システムサーバの当選データベースで保存管理されます。又、労働者データベースでは、労働者の勤務日時や勤務給与額などの情報データがシステムサーバに保存され、労働者の事業所や店舗等での勤務状況が確認できるようにしたことを特徴とするネット労働者福利厚生褒賞抽選システムアプリです。
【発明の詳細な説明】
【発明の詳細な説明】
【技術分野】
【０００１】本発明は、労働者の各種端末機器とインターネット等のネット網を介してシステムサーバに、労働者の給与、報酬、アルバイト料などの  数字の入力とネット抽選システムで当選賞品をスピーディに決定する褒賞抽選システムアプリに関するもの。
【背景技術】
【０００２】従来は  アルバイトやパートや契約社員には、福利厚生である慰安旅行もボーナスも与えられていませんでした。
【発明が解決しようとする課題】
【０００３】従来では、アルバイトやパートや契約社員には  従業員の健康、医療衛生、慰安、慶弔、結婚祝いや健康診断費用、社宅費用等、という福利厚生の恩恵を全く受けることなく労働力としてのみの勤務状況でした。
【課題を解決するための手段】
【０００４】そこで、本発明は  事業者側の意向と、労働者側の希望とを十分に調査をして、インターネット労働者福利厚生褒賞抽選システムアプリを考案しました。労働者の各種スマホ・タブレット等の端末機器とネット網を介して接続、又は保存される労働者の勤務活動や給与や勤務環境と褒賞抽選を備えたシステムサーバです。インターネット労働者福利厚生褒賞抽選システム加盟の企業、商店、団体等で勤務する正社員、契約社員、パート、アルバイト他の労働者が、一定の勤務時間、勤務日数の労働をした労働者に、労働意欲を高める為の褒賞方法として、インターネットでの賞品提供抽選システムで当選労働者にボーナスや賞品を与えます。労働者は、当システムの加盟の企業や店舗で一定期間の勤務をすれば、各事業所の給与、報酬、アルバイト料を受け取ります、その際の給与明細票の給与などの情報を各自の端末機の褒賞抽選入力画面に入力する。入力方法は、ボタンタッチやスキャナーでの読み込みやカメラでの読み込みや音声での入力など、その他の方法で入力する。入力完了後に完了ボタンを押すと、褒賞当選抽選画面に入ります。当選抽選画面は、各事業所の希望で数種類の抽選画面が用意されていますので、労働者は操作方法に従い抽選を行い当選又はハズレを決定します。
【０００５】インターネット労働者福利厚生褒賞抽選システムに参加される労働者は、登録画面に名前、住所、連絡先で会員登録を行う。労働者福利厚生褒賞抽選システムに参加される事業所は  所定の条件を満たし、当会への加盟手続きを行ないます。
【０００６】労働者福利厚生褒賞抽選システム参加の労働者は、一定期間の勤務活動と給与明細票の情報を貴方の端末機器の入力画面に入力することで、抽選に参加出来ます。
【０００７】入力後に完了ボタンを押すと、褒賞当選抽選画面に入ります。抽選方法は、いくつかの抽選画面が用意されていますので、各事業者担当のご希望で選んで頂きます。
【０００８】抽選の結果、当選が決まりましたら  当選者は当選者送信ボタンを押して頂きシステムサーバの労働者当選データベースで保存管理されます。
【０００９】労働者データベースでは、労働者の勤務場所に勤務日時、勤務報酬合計額などの情報データがシステムサーバに保存されますので、労働者の勤務活動状況が確認できます。
【００１０】当選者へ賞品をお渡しする際には、上記で入力された給与明細票の現物シートを持参頂きます。
【発明を実施するための形態】
【００１１】本発明の実施の形態のネット労働者褒賞抽選システムアプリについて、図に基づいて説明をします。この実施の形態で示す褒賞抽選システムは、毎日、各事業所でアルバイトやパートで勤務されている主婦や若者の皆さんを対象として、一定期間の勤務を継続した方には、社員と同様の福利厚生サービスを与えて、勤務に対する意識の向上を目指すものです。
【００１２】この褒賞抽選システムを構成するハードウェアは、図１に示すように、１の労働者用端末機器の２のスマホ、ケータイで  ３のインターネットを介して４の褒賞抽選システムサーバに接続、又は５，６の保存部で保存される。
【００１３】図２に示すように、褒賞抽選システム入力表示画面７の  各労働者の給与明細合計額などの情報を８に入力します。又、勤務形態、勤務場所、勤務日時・会員登録番号等を入力します。終わりましたら９の完了ボタンを押して、１０の当選番号抽選表示画面を表示します。
【００１４】労働者は  １１の当選番号表示画面の下部１２のボタンで抽選開始／停止ボタンを押し、再度開始／停止ボタンを押して、当選番号を決定します。
【００１５】労働者は  当選番号が決まり当選されましたら  画面表示の１３送信ボタンを押しますと、労働者褒賞抽選システムサーバの５のデータ保存部で管理されます。
【００１６】当選者には、労働者褒賞実行委員会から賞品を提供いたします。
【発明の効果】
【００１７】本発明は、インターネット労働者福利厚生褒賞抽選システム加盟の企業、商店、団体等に勤務する契約社員、パート、アルバイト、他の労働者が、一定の勤務時間、勤務日数の労働をした労働者に、労働意欲を高める為の褒賞方法として、インターネットでの賞品提供抽選システムで当選労働者にボーナスとしての賞品を与えます。
今後の日本における求人活動は  非常に厳しい状況になると予想しています。少子化も問題です。高齢化も、そして、若者たちがカッコいい仕事に、きれいな仕事、汗をかかない仕事を選びます。現実は、消費者が老齢化すれば、汗をかき、重い荷物を運ぶ配送の仕事が増えます。介護の難しい仕事が増え、災害列島で建設土木の厳しい仕事が増えます。そんな状況を先取りしてアルバイトやパートの福利厚生サービスの充実を  本発明が改善致します。
【図面の簡単な説明】
【図１】本発明の実施の形態のネット労働者褒賞抽選システムアプリのハードウェア構成を説明するための図である。
【図２】労働者の端末機に表示される労働者給与明細情報入力表示画面です。
【図３】労働者の端末機に表示される当選番号抽選表示画面です。
【符号の説明】１    労働者の各種端末機器
２    労働者の端末機器
３    インターネット（ネット網）
４    ネット労働者登録データ及び褒賞抽選システムサーバ
５    システムサーバのデータ保存部
６    システムサーバのプログラム保存部
７    労働者の端末機器の給与情報入力画面
８    労働者の勤務に関する情報入力画面
９    完了ボタン
１０  労働者の端末機器の当選番号抽選表示画面
１１  当選番号表示欄
１２  労働者が行う抽選の開始、停止ボタン
１３  当選者送信ボタン
【図１】
2016009476.tif 000003
【図２】
2016009476.tif 000004
【図３】
2016009476.tif 000005